(57)【要約】      （修正有）【課題】調理器のユーザーが調理器と他の室内機器との接続が正常に確立されているか否かを認識することができる技術を提供する。【解決手段】ガスコンロ２０は、室内９０に配置されており、センサ４０とレンジフード３０と無線通信で接続可能である。ガスコンロ２０は、センサ４０及びレンジフード３０とガスコンロ２０との接続状態を表示可能な表示部２６を備えている。制御部２５は、センサ４０及びレンジフード３０とガスコンロ２０との接続が確立されている場合と、前記接続が確立されていない場合とで表示部２６の表示を異なる表示態様とする。【選択図】図１
2017190913.tif 000002
【特許請求の範囲】
【請求項１】
室内に配置された少なくとも１つの室内機器と、室内に配置されており、前記少なくとも１つの室内機器と無線通信で接続可能な調理器を備えている調理器システムであって、
前記調理器は、前記少なくとも１つの室内機器と前記調理器の接続状態を表示可能な第１表示部と、第１制御部を備えており、
前記第１制御部は、前記少なくとも１つの室内機器と前記調理器の接続が確立されている場合と、その接続が確立されていない場合とで前記第１表示部の表示を異なる表示態様とする、調理器システム。
【請求項２】
前記第１表示部は、前記調理器の電源ＯＮ／ＯＦＦの状態に応じて発光の有無を変化させる発光手段を備えており、
前記第１制御部は、前記調理器がＯＮ状態である場合は前記発光手段を発光させ、ＯＦＦ状態である場合は前記発光手段を発光させず、前記調理器がＯＮ状態のときに前記接続が確立されている場合と確立されていない場合とで前記発光手段の発光状態を異ならせることで前記第１表示部の表示を異なる表示態様とする、請求項１に記載の調理器システム。
【請求項３】
前記第１表示部は、前記調理器のＯＮ／ＯＦＦを切り換えるスイッチ部に形成されている、請求項１または２に記載の調理器システム。
【請求項４】
前記少なくとも１つの室内機器が、前記室内の空気質を検知する空気質検知器を含んでおり、
前記空気質検知器は、前記空気質検知器と前記調理器の接続が確立されているときに、前記室内の空気質に応じて、前記調理器の動作状態を変化させるための制御信号を前記調理器に送信する、請求項１から３のいずれか一項に記載の調理器システム。
【請求項５】
前記少なくとも１つの室内機器が、前記室内の空気を換気する換気機器をさらに含んでおり、
前記換気機器は、前記調理器または前記空気質検知器と前記換気機器の接続状態を表示可能な第２表示部と、第２制御部を備えており、
前記第２制御部は、前記調理器または前記空気質検知器と前記換気機器の接続が確立されている場合と、その接続が確立されていない場合とで前記第２表示部の表示を異なる表示態様とする、請求項４に記載の調理器システム。
【請求項６】
前記第２制御部は、前記空気質検知器と前記換気機器の接続が確立されている場合の前記第２表示部の表示を、前記空気質検知器と前記調理器の接続が確立されている場合の前記第１表示部の表示と対応する表示態様にする、請求項５に記載の調理器システム。
【請求項７】
室内に配置されており、少なくとも１つの室内機器と無線通信で接続可能な調理器であって、
前記少なくとも１つの室内機器と前記調理器の接続状態を表示可能な表示部と、
制御部を備えており、
前記制御部は、前記少なくとも１つの室内機器と前記調理器の接続が確立されている場合と、その接続が確立されていない場合とで前記表示部の表示を異なる表示態様とする、調理器。
【請求項８】
前記表示部は、前記調理器の電源ＯＮ／ＯＦＦの状態に応じて発光の有無を変化させる発光手段を備えており、
前記制御部は、前記調理器がＯＮ状態である場合は前記発光手段を発光させ、ＯＦＦ状態である場合は前記発光手段を発光させず、前記調理器がＯＮ状態のときに前記接続が確立されている場合と確立されていない場合とで前記発光手段の発光状態を異ならせることで前記表示部の表示を異なる表示態様とする、請求項７に記載の調理器。
【請求項９】
前記表示部は、前記調理器のＯＮ／ＯＦＦを切り換えるスイッチ部に形成されている、請求項７または８に記載の調理器。
【請求項１０】
前記少なくとも１つの室内機器が、前記室内の空気質を検知する空気質検知器を含んでおり、
前記空気質検知器は、前記空気質検知器と前記調理器の接続が確立されているときに、前記室内の空気質に応じて、前記調理器の動作状態を変化させるための制御信号を前記調理器に送信する、請求項７から９のいずれか一項に記載の調理器。
【発明の詳細な説明】
【技術分野】
【０００１】
本明細書に開示する技術は、調理器システムおよび調理器に関する。
【背景技術】
【０００２】
特許文献１に開示されている調理器は、携帯端末機器と赤外線通信できるように構成されている。この調理器は、赤外線通信モードが選択されると発光する発光部を備えている。
【先行技術文献】
【特許文献】
【０００３】
【特許文献１】特開２０１３−０１９５７９号公報
【発明の概要】
【発明が解決しようとする課題】
【０００４】
特許文献１の調理器では、赤外線通信モードが選択されると発光部が発光するが、それだけでは調理器が赤外線通信できる状態であることは認識できるものの、調理器と携帯端末機器の接続が正常に確立されているか否かまでは認識できない。また、室内に配置されている他の室内機器と調理器の接続を確立したい場合がある。例えば、室内の空気質を検知する空気質検知器と調理器の接続を確立したい場合がある。そこで本明細書は、調理器のユーザーが調理器と他の室内機器との接続が正常に確立されているか否かを認識することができる技術を提供する。
【課題を解決するための手段】
【０００５】
本明細書に開示する調理器システムは、室内に配置された少なくとも１つの室内機器と、調理器を備えている。この調理器は、室内に配置されており、少なくとも１つの室内機器と無線通信で接続可能である。また、調理器は、少なくとも１つの室内機器と調理器の接続状態を表示可能な第１表示部と、第１制御部を備えている。第１制御部は、少なくとも１つの室内機器と調理器の接続が確立されている場合と、その接続が確立されていない場合とで第１表示部の表示を異なる表示態様とする。
【０００６】
このような構成によれば、調理器と室内機器の接続が正常に確立されている場合と確立されていない場合で第１表示部の表示態様が異なるので、第１表示部を視たユーザーが、調理器と室内機器の接続が正常に確立されているか否かを一目で認識することができる。
【０００７】
上記の調理器システムにおいて、第１表示部は、調理器の電源ＯＮ／ＯＦＦの状態に応じて発光の有無を変化させる発光手段を備えていてもよい。第１制御部は、調理器がＯＮ状態である場合は発光手段を発光させ、ＯＦＦ状態である場合は発光手段を発光させず、調理器がＯＮ状態のときに接続が確立されている場合と確立されていない場合とで前記発光手段の発光状態を異ならせることで第１表示部の表示を異なる表示態様としてもよい。
【０００８】
このような構成によれば、調理器のＯＮ状態とＯＦＦ状態で表示部の発光状態が異なっており、更にＯＮ状態の場合は、調理器と室内機器の接続が確立されているか否かで表示部の表示態様が異なっている。そのため、表示部を視たユーザーが、調理器がＯＮ状態であるかＯＦＦ状態であるかを一目で認識することができるとともに、調理器と室内機器の接続が正常に確立されているか否かを一目で認識することができる。
【０００９】
また、上記の調理器システムにおいて、第１表示部は、調理器のＯＮ／ＯＦＦを切り換えるスイッチ部に形成されていてもよい。
【００１０】
調理器のＯＮ／ＯＦＦを切り換えるスイッチ部は、ユーザーが必ず目視して確認する部分であるので、確実にユーザーが接続状態を認識することができる。
【００１１】
また、上記の調理器システムにおいて、少なくとも１つの室内機器が、室内の空気質を検知する空気質検知器を含んでいてもよい。空気質検知器は、空気質検知器と調理器の接続が確立されているときに、室内の空気質に応じて、調理器の動作状態を変化させるための制御信号を調理器に送信してもよい。
【００１２】
このような構成によれば、室内の空気質の状態に応じて調理器を停止させることができる。したがって、室内の安全を確保することができる。
【００１３】
また、上記の調理器システムにおいて、少なくとも１つの室内機器が、室内の空気を換気する換気機器をさらに含んでいてもよい。換気機器は、調理器または空気質検知器と換気機器の接続状態を表示可能な第２表示部と、第２制御部を備えていてもよい。第２制御部は、調理器または空気質検知器と換気機器の接続が確立されている場合と、その接続が確立されていない場合とで第２表示部の表示を異なる表示態様としてもよい。
【００１４】
このような構成によれば、調理器または空気質検知器と換気機器の接続が確立されている場合と確立されていない場合で第２表示部の表示態様が異なるので、第２表示部を視たユーザーが、調理器または空気質検知器と換気機器の接続が正常に確立されているか否かを一目で認識することができる。
【００１５】
また、上記の調理器システムにおいて、第２制御部は、空気質検知器と換気機器の接続が確立されている場合の第２表示部の表示を、空気質検知器と調理器の接続が確立されている場合の第１表示部の表示と対応する表示態様にしてもよい。
【００１６】
このような構成によれば、第２表示部を視たユーザーが、空気質検知器と換気機器の接続が正常に確立されているか否かを一目で認識することができる。また、第１表示部を視たユーザーが、空気質検知器と調理器の接続が確立されているか否かを一目で認識することができる。また、第２表示部の表示と第１表示部の表示が対応する表示態様になるので、上記の２つの接続が共に確立されていることをユーザーが容易に認識することができる。
【００１７】
本明細書に開示する調理器は、室内に配置されており、少なくとも１つの室内機器と無線通信で接続可能である。少なくとも１つの室内機器と調理器の接続状態を表示可能な表示部と、制御部を備えている。制御部は、少なくとも１つの室内機器と調理器の接続が確立されている場合と、その接続が確立されていない場合とで表示部の表示を異なる表示態様とする。
【００１８】
このような構成によれば、調理器と室内機器の接続が正常に確立されている場合と確立されていない場合で表示部の表示態様が異なるので、表示部を視たユーザーが、調理器と室内機器の接続が正常に確立されているか否かを一目で認識することができる。
【００１９】
上記の調理器において、表示部は、調理器の電源ＯＮ／ＯＦＦの状態に応じて発光の有無を変化させる発光手段を備えていてもよい。制御部は、調理器がＯＮ状態である場合は発光手段を発光させ、ＯＦＦ状態である場合は発光手段を発光させず、調理器がＯＮ状態のときに接続が確立されている場合と確立されていない場合とで発光手段の発光状態を異ならせることで表示部の表示を異なる表示態様としてもよい。
【００２０】
このような構成によれば、調理器のＯＮ状態とＯＦＦ状態で表示部の発光状態が異なっており、更にＯＮ状態の場合は、調理器と室内機器の接続が確立されているか否かで表示部の表示態様が異なっている。そのため、表示部を視たユーザーが、調理器がＯＮ状態であるかＯＦＦ状態であるかを一目で認識することができるとともに、調理器と室内機器の接続が正常に確立されているか否かを一目で認識することができる。
【００２１】
また、上記の調理器において、表示部が、調理器のＯＮ／ＯＦＦを切り換えるスイッチ部に形成されていてもよい。
【００２２】
調理器のＯＮ／ＯＦＦを切り換えるスイッチ部は、ユーザーが必ず目視して確認する部分であるので、確実にユーザーが接続状態を認識することができる。
【００２３】
また、上記の調理器において、少なくとも１つの室内機器が、室内の空気質を検知する空気質検知器を含んでいてもよい。空気質検知器は、空気質検知器と調理器の接続が確立されているときに、室内の空気質に応じて、調理器の動作状態を変化させるための制御信号を調理器に送信してもよい。
【００２４】
このような構成によれば、室内の空気質の状態に応じて調理器を停止させることができる。したがって、室内の安全を確保することができる。
【図面の簡単な説明】
【００２５】
【図１】実施例に係る調理器システムが設置されている室の立面図である。
【図２】実施例に係る調理器システムのブロック図である。
【図３】ガスコンロが実行する第１実施例に係る処理を示すフローチャートである。
【図４】調理器システムの第１実施例に係る動作を説明するための図である。
【図５】調理器システムの他の実施例に係る動作を説明するための図である。
【図６】ガスコンロが実行する第２実施例に係る処理を示すフローチャートである。
【図７】ガスコンロが実行する第３実施例に係る処理を示すフローチャートである。
【図８】ガスコンロが実行する第４実施例に係る処理を示すフローチャートである。
【図９】レンジフードが実行する第５実施例に係る処理を示すフローチャートである。
【発明を実施するための形態】
【００２６】
図１に示すように、実施例に係る調理器システム１は、ガスコンロ２０と、レンジフード３０と、センサ４０と、警報器７０を備えている。調理器システム１は、例えば、マンションや戸建における室９に設置される。
【００２７】
室９の内部領域である室内９０は、キッチン領域９１と、キッチン領域９１の外部にあるダイニング領域９２に分けられる。キッチン領域９１では、ユーザーが調理を行うことができる。ダイニング領域９２では、ユーザーが食事を行うことができる。
【００２８】
ガスコンロ２０（調理器の一例）は、キッチン領域９１に配置されている。ガスコンロ２０は、ガスを燃焼させた火力を利用してユーザーが調理を行うための機器である。ユーザーが調理を行うとガスコンロ２０の周囲に熱、水分、煙および油分等が生じる。ガスコンロ２０は、バーナー２１と、バーナー２１の点火または消火をするためのスイッチ部２２と、バーナー２１の火力を調節するための調節部２３を備えている。ガスコンロ２０の動作状態は調節可能である。具体的には、ガスコンロ２０は、バーナー２１の火力を多段階で調節できるように構成されている。例えば、バーナー２１の火力を「消火」、「弱」、「中」、「強」の４段階で調節することができる。スイッチ部２２は、ガスコンロ２０のＯＮ／ＯＦＦを切り換え可能に構成されている。ユーザーがスイッチ部２２を押して電源を入れるとバーナー２１が点火し、スイッチ部２２を押して電源を切るとバーナー２１が消火する。また、ユーザーが調節部２３を操作するとバーナー２１の火力状態を調節することができる。
【００２９】
ガスコンロ２０は、表示部２６（第１表示部の一例）と制御部２５（第１制御部の一例）を備えている。表示部２６は、発光可能に構成されている。表示部２６は、ＬＥＤランプ（図示せず）を備えている。ＬＥＤランプが発光することによって表示部２６が発光する。表示部２６は、複数の色の光を発光可能である。例えば、青、緑、黄の光を発光可能である。ＬＥＤランプが発光する光の色が変わることによって、表示部２６が発光する光の色が変わる。表示部２６は、光の色の違いによって、ガスコンロ２０とセンサ４０とレンジフード３０の無線通信による接続状態を表示可能である。表示部２６は、スイッチ部２２に形成されている。スイッチ部２２は、表示部２６を含んでいる。表示部２６は、スイッチ部２２の一部として構成されている。なお、ガスコンロ２０の制御部２５による制御については後述する。
【００３０】
レンジフード３０（室内機器の一例、換気機器の一例）は、キッチン領域９１に配置されている。レンジフード３０は、ガスコンロ２０の上方に配置されており、ガスコンロ２０と対向している。レンジフード３０は、ファン３１とカバー３２を備えている。レンジフード３０は、ファン３１が回転することによって室内９０の空気を換気する。カバー３２はファン３１を覆っている。レンジフード３０は、ファン３１の回転速度を多段階で調節することによって、室内９０の空気を換気する風量を多段階で調節できるように構成されている。例えば、換気の風量を「０（停止）」、「弱」、「中」、「強」の４段階で調節することができる。レンジフード３０は、風量が「０（停止）」である場合は動作しない。レンジフード３０は、風量を調節するための調節部３７を備えている。ユーザーが調節部３７を操作することによって換気風量を調節することができる。
【００３１】
レンジフード３０は、表示部３６（第２表示部の一例）と制御部３５（第２制御部の一例）を備えている。表示部３６は、発光可能に構成されている。表示部３６は、ＬＥＤランプ（図示せず）を備えている。ＬＥＤランプが発光することによって表示部３６が発光する。表示部３６は、例えば、緑色の光で発光可能である。表示部３６は、比較的明るく発光する場合と、比較的暗く発光する場合がある。表示部３６は、発光するときの明るさの違いによって、レンジフード３０の動作状態を表示可能である。表示部３６は、スイッチ部３４に形成されている。スイッチ部３４は、表示部３６を含んでいる。表示部３６は、スイッチ部３４の一部として構成されている。また、表示部３６は、発光しているか否かの違いによって、センサ４０とレンジフード３０の無線通信による接続状態を表示可能である。なお、レンジフード３０の制御部３５による制御については後述する。センサ４０（室内機器の他の一例、空気質検知器の一例）は、キッチン領域９１に配置されている。センサ４０は、室内９０の空気質を継続的に検知している。センサ４０は、ガスコンロ２０から離れた位置に配置されている。また、センサ４０は、後述する警報器７０の筐体内に設けられている。
【００３２】
室内９０の空気質は、例えば、室内９０の空気の温度、湿度、臭気、室内９０に配置された燃焼式器具の燃焼排ガス、未燃ガス等によって変化する。例えば、室内９０に配置されているゴミ箱の中のゴミや調理中の料理から臭気や煙が発生したり、ガスコンロ２０や室内９０に配置されている燃焼式暖房機の燃焼排ガスが増加した場合には室内９０の空気質が悪化する。センサ４０は、検知した室内９０の空気質を所定の基準に照らしてランク分けすることができる。例えば、センサ４０は、室内９０の空気質を「正常」、「やや悪い」、「悪い」、「とても悪い」の４つにランク分けすることができる。例えば、室内９０の空気の温度が２５℃であり、湿度が５０％であり、臭気や煙が発生していない場合は、室内９０の空気質は「正常」のランクに該当する。また、例えば、室内９０の空気質が悪化した場合は、悪化の程度に応じて、室内９０の空気質が「やや悪い」、「悪い」、「とても悪い」のいずれかのランクに該当する。
【００３３】
警報器７０は、キッチン領域９１に配置されている。警報器７０は、ガスコンロ２０から離れた位置に配置されている。警報器７０は、室内９０の空気質に異常がある場合にその異常を周囲に知らせるブザー、スピーカー、ランプ等の報知手段８０を備えている。
【００３４】
上記のガスコンロ２０とセンサ４０とレンジフード３０のそれぞれは、無線通信部（図示せず）を備えている。無線通信部が行なう無線通信としては、例えばＢｌｕｅｔｏｏｔｈ（登録商標）ＬｏｗＥｎｅｒｇｙによる通信を用いることができる。ＢｌｕｅｔｏｏｔｈＬｏｗＥｎｅｒｇｙは、デジタル機器用の近距離無線通信規格である。ガスコンロ２０とセンサ４０は、無線通信部を介して無線通信可能である。また、ガスコンロ２０とレンジフード３０も、無線通信部を介して無線通信可能である。また、センサ４０とレンジフード３０も、無線通信部を介して無線通信可能である。図２に示すように、調理器システム１では、ガスコンロ２０とセンサ４０の接続Ｃ１、ガスコンロ２０とレンジフード３０の接続Ｃ２、センサ４０とレンジフード３０の接続Ｃ３のそれぞれが確立される。
【００３５】
（第１実施例）
次に、ガスコンロと調理器システムの動作について説明する。まず、初期状態では、レンジフード３０とセンサ４０の電源が入っているとする。一方、ガスコンロ２０の電源が切られているとする。すなわち、ガスコンロ２０がＯＦＦ状態であるとする。ガスコンロ２０がＯＦＦ状態であるときは、ガスコンロ２０の制御部２５は、表示部２６を発光させていない。図３のフローチャートに示すように、Ｓ１１では、表示部２６が消灯している。続くＳ１２では、制御部２５は、ガスコンロ２０の電源が入れられたか否かを監視している。ガスコンロ２０の電源が入れられずにガスコンロ２０がＯＦＦ状態である場合は、制御部２５はＳ１２でＮｏと判断してＳ１１に戻る。制御部２５は、表示部２６が消灯した状態を維持する。
【００３６】
続いて、ユーザーが、ガスコンロ２０のスイッチ部２２を押してガスコンロ２０の電源を入れたとする。そうすると、ガスコンロ２０がＯＮ状態になる。ガスコンロ２０の電源が入れられてガスコンロ２０がＯＮ状態になると、制御部２５はＳ１２でＹｅｓと判断してＳ１３に進む。
【００３７】
Ｓ１３では、制御部２５が、表示部２６を青色の光で発光させる。表示部２６が青色で点灯する。点灯した表示部２６を視たユーザーは、ガスコンロ２０がＯＮ状態であることを認識できる。
【００３８】
また、ガスコンロ２０は、ＯＮ状態になると、図４に示すように、センサ４０に接続許可信号を送信する（Ｓ６１）。この接続許可信号は、ガスコンロ２０とセンサ４０の接続Ｃ１の確立を許可するための信号である。ガスコンロ２０が送信した接続許可信号をセンサ４０が受信する。センサ４０は、ガスコンロ２０に接続確立信号を送信する（Ｓ６２）。この接続確立信号は、ガスコンロ２０とセンサ４０の接続Ｃ１を確立するための信号である。センサ４０が送信した接続確立信号をガスコンロ２０が受信する。ガスコンロ２０が接続確立信号を受信すると、ガスコンロ２０とセンサ４０の接続Ｃ１が確立される。ガスコンロ２０とセンサ４０の間で接続許可信号と接続確立信号が正常に送受信されると、ガスコンロ２０とセンサ４０の接続Ｃ１が正常に確立される。一方、接続許可信号と接続確立信号が正常に送受信されない場合等、通信障害が発生した場合は、ガスコンロ２０とセンサ４０の接続Ｃ１が確立されない。
【００３９】
同様に、ガスコンロ２０は、ＯＮ状態になると、レンジフード３０に接続許可信号を送信する（Ｓ６３）。この接続許可信号は、ガスコンロ２０とレンジフード３０の接続Ｃ２の確立を許可するための信号である。ガスコンロ２０が送信した接続許可信号をレンジフード３０が受信する。レンジフード３０は、ガスコンロ２０に接続確立信号を送信する（Ｓ６４）。この接続確立信号は、ガスコンロ２０とレンジフード３０の接続Ｃ２を確立するための信号である。レンジフード３０が送信した接続確立信号をガスコンロ２０が受信する。ガスコンロ２０が接続確立信号を受信すると、ガスコンロ２０とレンジフード３０の接続Ｃ２が確立される。ガスコンロ２０とレンジフード３０の間で接続許可信号と接続確立信号が正常に送受信されると、ガスコンロ２０とレンジフード３０の接続Ｃ２が正常に確立される。一方、接続許可信号と接続確立信号が正常に送受信されない場合等、通信障害が発生した場合は、ガスコンロ２０とレンジフード３０の接続Ｃ２が確立されない。
【００４０】
図３に示すように、Ｓ１３に続くＳ１４では、ガスコンロ２０の制御部２５が、ガスコンロ２０とセンサ４０の接続Ｃ１、および、ガスコンロ２０とレンジフード３０の接続Ｃ２が確立されているか否かを判断する。両方の接続が確立されている場合は、制御部２５はＳ１４でＹｅｓと判断してＳ１５に進む。少なくとも一方の接続が確立されていない場合は、制御部２５はＳ１４でＮｏと判断してＳ１６に進む。
【００４１】
Ｓ１５では、制御部２５が、表示部２６を緑色の光で発光させる。表示部２６が緑色で点灯する。緑色で点灯した表示部２６を視たユーザーは、ガスコンロ２０とセンサ４０の接続Ｃ１、および、ガスコンロ２０とレンジフード３０の接続Ｃ２の両方が正常に確立されていることを認識できる。
【００４２】
一方、Ｓ１６では、制御部２５が、表示部２６を青色の光で発光させる。表示部２６が青色で点灯している状態を維持する。青色で点灯した表示部２６を視たユーザーは、ガスコンロ２０とセンサ４０の接続Ｃ１、および、ガスコンロ２０とレンジフード３０の接続Ｃ２の少なくとも一方が確立されていないことを認識できる。
【００４３】
その後、ユーザーが、ガスコンロ２０のスイッチ部２７を押してガスコンロ２０の電源を切ったとする。例えば、ユーザーがガスコンロ２０で調理を行い、その調理が完了した後にガスコンロ２０の電源を切ったとする。そうすると、ガスコンロ２０がＯＦＦ状態になる。
【００４４】
続くＳ１７では、ガスコンロ２０の制御部２５が、ガスコンロ２０の電源が切られたか否かを監視している。ガスコンロ２０の電源が切られずにガスコンロ２０がＯＮ状態である場合は、制御部２５はＳ１７でＮｏと判断してＳ１４に戻る。制御部２５は、表示部２６が点灯した状態を維持する。一方、ガスコンロ２０の電源が切られてガスコンロ２０がＯＦＦ状態になると、制御部２５はＳ１７でＹｅｓと判断してＳ１８に進む。
【００４５】
Ｓ１８では、制御部２５が、表示部２６を消灯する。よって、表示部２６が発光しなくなる。消灯した表示部２６を視たユーザーは、ガスコンロ２０がＯＦＦ状態であることを認識できる。
【００４６】
また、ガスコンロ２０は、ＯＦＦ状態になると、図４に示すように、センサ４０に切断信号を送信する（Ｓ６５）。この切断信号は、ガスコンロ２０とセンサ４０の接続Ｃ１を切断するための信号である。ガスコンロ２０が送信した切断信号をセンサ４０が受信する。センサ４０が切断信号を受信すると、ガスコンロ２０とセンサ４０の接続Ｃ１が切断される。
【００４７】
同様に、ガスコンロ２０は、ＯＦＦ状態になると、レンジフード３０に切断信号を送信する（Ｓ６６）。この切断信号は、ガスコンロ２０とレンジフード３０の接続Ｃ２を切断するための信号である。ガスコンロ２０が送信した切断信号をレンジフード３０が受信する。センサ４０が切断信号を受信すると、ガスコンロ２０とレンジフード３０の接続Ｃ２が切断される。
【００４８】
以上、ガスコンロと調理器システムの構成と動作について説明した。以上で説明したように、室内９０に配置されているガスコンロ２０は、センサ４０とレンジフード３０と無線通信で接続可能である。ガスコンロ２０は、表示部２６（第１表示部の一例）と制御部２５（第１制御部の一例）を備えている。表示部２６は、ガスコンロ２０に対するセンサ４０とレンジフード３０の接続状態を表示可能である。制御部２５は、ガスコンロ２０とセンサ４０の接続Ｃ１、および、ガスコンロ２０とレンジフード３０の接続Ｃ２の両方が確立されている場合は、表示部２６を緑色の光で発光させる。一方、制御部２５は、ガスコンロ２０とセンサ４０の接続Ｃ１、および、ガスコンロ２０とレンジフード３０の接続Ｃ２の少なくとも一方が確立されてない場合は、表示部２６を青色の光で発光させる。すわわち、制御部２５は、調理器（ガスコンロ２０）と室内機器（センサ４０とレンジフード３０）の接続が確立されている場合と、接続が確立されていない場合とで表示部２６の表示を異なる表示態様としている。
【００４９】
このような構成によれば、表示部２６を視たユーザーが、調理器（ガスコンロ２０）と室内機器（センサ４０とレンジフード３０）の接続が正常に確立されているか否かを一目で認識することができる。したがって、ガスコンロ２０とセンサ４０とレンジフード３０を備えている調理器システム１において通信障害等が発生せずに、調理器システム１が正常に連携しているか否かを一目で認識することができる。調理器システム１が正常に連携していない場合は、部品の修理や交換等の何らかの対策を取ることができる。
【００５０】
また、上記のガスコンロ２０は、ＯＮ／ＯＦＦを切り換えるスイッチ部２２を備えている。このスイッチ部２２に表示部２６が形成されている。表示部２６は、発光可能に構成されている。制御部２５は、ガスコンロ２０がＯＮ状態である場合は表示部２６を発光させる。一方、ガスコンロ２０がＯＦＦ状態である場合は、制御部２５は表示部２６を発光させない。制御部２５は、表示部２６を発光させるときに、上述したように、調理器（ガスコンロ２０）と室内機器（センサ４０とレンジフード３０）の接続が確立されている場合と、接続が確立されていない場合とで表示部２６の表示を異なる表示態様としている。
【００５１】
このような構成によれば、ガスコンロ２０のユーザーがＯＮ／ＯＦＦを切り換えるスイッチ部２２を視ることによって、同時に表示部２６を視ることができる。これによって、ガスコンロ２０がＯＮ状態であるかＯＦＦ状態であるかを一目で認識することができるとともに、調理器（ガスコンロ２０）と室内機器（センサ４０とレンジフード３０）の接続が正常に確立されているか否かを一目で認識することができる。
【００５２】
以上、一実施例について説明したが具体的な態様は上記実施例に限定されるものではない。例えば、他の実施例では、図５に示すように、センサ４０とガスコンロ２０の接続Ｃ１が確立されているときに、センサ４０がガスコンロ２０に停止信号を送信してもよい（Ｓ７１）。停止信号は、ガスコンロ２０の動作を停止させるための信号である。センサ４０は、室内９０の空気質に応じて停止信号を送信する。例えば、センサ４０は、室内９０の空気質が悪化して「とても悪い」状態になると、停止信号を送信する。センサ４０が送信した停止信号をガスコンロ２０が受信する。ガスコンロ２０は、停止信号を受信すると、火力が「消火」になって停止する。
【００５３】
このような構成によれば、室内９０の空気質の状態に応じてガスコンロ２０を停止させることができる。したがって、室内９０の安全を確保することができる。
【００５４】
（第２実施例）
上記の第１実施例では、調理器システム１におけるセンサ４０とレンジフード３０の接続Ｃ３が確立されているか否かを判断していなかったが、この構成に限定されるものではない。第２実施例では、センサ４０とレンジフード３０の接続Ｃ３が確立されているか否かを判断してもよい。この構成について以下に説明する。第２実施例におけるＳ１１〜Ｓ１６の処理は、上記の第１実施例におけるＳ１１〜Ｓ１６の処理と同じであるので説明を省略する。
【００５５】
図６に示すように、Ｓ１５に続くＳ２７では、ガスコンロ２０の制御部２５が、センサ４０とレンジフード３０の接続Ｃ３が確立されているか否かを判断する。センサ４０とレンジフード３０の間で接続許可信号と接続確立信号が正常に送受信されている場合は、センサ４０とレンジフード３０の接続Ｃ３が正常に確立されている。そうでない場合は、センサ４０とレンジフード３０の接続Ｃ３が確立されていない。接続許可信号は、センサ４０とレンジフード３０の接続Ｃ３の確立を許可するための信号である。接続確立信号は、センサ４０とレンジフード３０の接続Ｃ３を確立するための信号である。両者の接続が確立されている場合は、制御部２５はＳ２７でＹｅｓと判断してＳ１７に進む。一方、接続が確立されていない場合は、制御部２５はＳ２７でＮｏと判断してＳ２８に進む。
【００５６】
Ｓ２８では、制御部２５が、表示部２６を黄色の光で発光させる。表示部２６が黄色で点灯する。点灯した表示部２６を視たユーザーは、センサ４０とレンジフード３０の接続Ｃ３が確立されていないことを認識できる。
【００５７】
第２実施例におけるＳ１６、Ｓ２７、Ｓ２８の処理に続くＳ１７、Ｓ１８の処理は、上記の第１実施例におけるＳ１７、Ｓ１８の処理と同じであるので説明を省略する。
【００５８】
以上、第２実施例について説明した。以上で説明したように、第２実施例では、制御部２５が、センサ４０とレンジフード３０との通信接続の確立を確認可能である。ガスコンロ２０の制御部２５は、センサ４０とガスコンロ２０の接続Ｃ１と、レンジフード３０とガスコンロ２０の接続Ｃ２とが確立されている場合に次の処理を実行する。すなわち、制御部２５は、センサ４０とレンジフード３０の接続Ｃ３が確立されている場合は、表示部２６を緑色の光で発光させる。一方、制御部２５は、センサ４０とレンジフード３０の接続Ｃ３が確立されていない場合は、表示部２６を黄色の光で発光させる。つまり、制御部２５は、センサ４０とレンジフード３０の接続Ｃ３が確立されている場合と、センサ４０とレンジフード３０の接続Ｃ３が確立されていない場合とで表示部２６の表示を異なる表示態様としている。
【００５９】
このような構成によれば、ガスコンロ２０の表示部２６を視たユーザーが、センサ４０とレンジフード３０の接続Ｃ３が正常に確立されているか否かを一目で認識することができる。
【００６０】
（第３実施例）
上記の第１実施例では、ガスコンロ２０とセンサ４０の接続Ｃ１とガスコンロ２０とレンジフード３０の接続Ｃ２の両方が確立されていない場合と、接続Ｃ１と接続Ｃ２の何れか一方のみが確立されている場合を区別していなかったが、この構成に限定されるものではない。第３実施例では、上記の接続Ｃ１と接続Ｃ２の何れか一方のみが確立されている場合を区別してもよい。第３実施例におけるＳ１１〜Ｓ１３の処理は、上記の第１実施例におけるＳ１１〜Ｓ１３の処理と同じであるので説明を省略する。
【００６１】
図７に示すように、Ｓ１３に続くＳ３４では、ガスコンロ２０の制御部２５が、ガスコンロ２０とセンサ４０の接続Ｃ１が確立されているか否かを判断する。ガスコンロ２０とセンサ４０の接続Ｃ１が確立されている場合は、制御部２５はＳ３４でＹｅｓと判断してＳ３５に進む。一方、接続Ｃ１が確立されていない場合は、制御部２５はＳ３４でＮｏと判断してＳ４５に進む。
【００６２】
Ｓ３５では、ガスコンロ２０の制御部２５が、ガスコンロ２０とレンジフード３０の接続Ｃ２が確立されているか否かを判断する。ガスコンロ２０とレンジフード３０の接続Ｃ２が確立されている場合は、制御部２５はＳ３５でＹｅｓと判断してＳ３６に進む。一方、接続Ｃ２が確立されていない場合は、制御部２５はＳ３５でＮｏと判断してＳ３７に進む。
【００６３】
Ｓ３６では、制御部２５が、表示部２６を緑色の光で発光させる。表示部２６が緑色で点灯する。緑色で点灯した表示部２６を視たユーザーは、ガスコンロ２０とセンサ４０の接続Ｃ１、および、ガスコンロ２０とレンジフード３０の接続Ｃ２の両方が正常に確立されていることを認識できる。
【００６４】
一方、Ｓ３７では、制御部２５が、表示部２６を赤色の光で発光させる。表示部２６が赤色で点灯する。赤色で点灯した表示部２６を視たユーザーは、ガスコンロ２０とセンサ４０の接続Ｃ１が正常に確立されていることを認識できる（Ｓ３４参照）。また、ユーザーは、ガスコンロ２０とレンジフード３０の接続Ｃ２が確立されていないことを認識できる（Ｓ３５参照）。
【００６５】
また、上記のＳ３４でＮｏと判断した後のＳ４５では、ガスコンロ２０の制御部２５が、ガスコンロ２０とレンジフード３０の接続Ｃ２が確立されているか否かを判断する。ガスコンロ２０とレンジフード３０の接続Ｃ２が確立されている場合は、制御部２５はＳ４５でＹｅｓと判断してＳ４６に進む。一方、接続Ｃ２が確立されていない場合は、制御部２５はＳ４５でＮｏと判断してＳ４７に進む。
【００６６】
Ｓ４６では、制御部２５が、表示部２６を橙色の光で発光させる。表示部２６が橙色で点灯する。橙色で点灯した表示部２６を視たユーザーは、ガスコンロ２０とレンジフード３０の接続Ｃ２が正常に確立されていることを認識できる（Ｓ４５参照）。また、ユーザーは、ガスコンロ２０とセンサ４０の接続Ｃ１が確立されていないことを認識できる（Ｓ３４参照）。
【００６７】
一方、Ｓ４７では、制御部２５が、表示部２６を青色の光で発光させる。表示部２６が青色で点灯している状態を維持する。青色で点灯した表示部２６を視たユーザーは、ガスコンロ２０とセンサ４０の接続Ｃ１、および、ガスコンロ２０とレンジフード３０の接続Ｃ２の両方が確立されていないことを認識できる（Ｓ３４、Ｓ４５参照）。
【００６８】
第３実施例におけるＳ３６、Ｓ３７、Ｓ４６、Ｓ４７の処理に続くＳ１７、Ｓ１８の処理は、上記の第１実施例におけるＳ１７、Ｓ１８の処理と同じであるので説明を省略する。
【００６９】
以上、第３実施例について説明した。以上で説明したように、第３実施例では、ガスコンロ２０の制御部２５は、センサ４０とガスコンロ２０の接続Ｃ１と、レンジフード３０とガスコンロ２０の接続Ｃ２の両方が確立されている場合は、表示部２６を緑色の光で発光させる。一方、センサ４０とガスコンロ２０の接続Ｃ１が確立されており、レンジフード３０とガスコンロ２０の接続Ｃ２が確立されていない場合は、表示部２６を赤色の光で発光させる。また、レンジフード３０とガスコンロ２０の接続Ｃ２が確立されており、センサ４０とガスコンロ２０の接続Ｃ１が確立されていない場合は、表示部２６を橙色の光で発光させる。すなわち、制御部２５は、上記の接続Ｃ１と接続Ｃ２の両方が確立されている場合と、接続Ｃ１と接続Ｃ２の何れか一方のみが確立されている場合とで表示部２６の表示を異なる表示態様としている。
【００７０】
このような構成によれば、ガスコンロ２０の表示部２６を視たユーザーが、センサ４０とガスコンロ２０の接続Ｃ１と、レンジフード３０とガスコンロ２０の接続Ｃ２の何れか一方のみが確立されていることを一目で認識することができる。
【００７１】
また、本明細書に開示する技術の具体的な態様は上記実施例に限定されるものではない。例えば、ガスコンロ２０とレンジフード３０の接続Ｃ２は、無線通信による直接的な接続でも間接的な接続でもよい。例えば、ガスコンロ２０とセンサ４０の接続Ｃ１と、センサ４０とレンジフード３０の接続Ｃ３が確立されたことによって、ガスコンロ２０とレンジフード３０が、センサ４０を介して（接続Ｃ１と接続Ｃ３を介して）間接的に接続されていると考えてもよい。また、ガスコンロ２０とセンサ４０の接続Ｃ１も、直接的な接続でも間接的な接続でもよい。
【００７２】
また、各接続Ｃ１、Ｃ２、Ｃ３の通信方式は、特に限定されるものではない。例えば、赤外線通信であってもよい。また、接続Ｃ１、Ｃ２、Ｃ３について赤外線通信と他の無線通信を組み合わせてもよい。
【００７３】
（第４実施例）
上記の第１実施例では、図３に示すように、Ｓ１４で、ガスコンロ２０の制御部２５が、ガスコンロ２０とセンサ４０の接続Ｃ１、および、ガスコンロ２０とレンジフード３０の接続Ｃ２が確立されているか否かを判断していたが、この構成に限定されるものではない。第４実施例では、図８に示すように、Ｓ１４で、制御部２５が、ガスコンロ２０とセンサ４０の接続Ｃ１が確立されているか否かのみを判断してもよい。ガスコンロ２０とセンサ４０の接続Ｃ１が確立されている場合は、制御部２５はＳ１４でＹｅｓと判断してＳ１５に進む。一方、ガスコンロ２０とセンサ４０の接続Ｃ１が確立されていない場合は、制御部２５はＳ１４でＮｏと判断してＳ１６に進む。制御部２５は、ガスコンロ２０とレンジフード３０の接続Ｃ２が確立されているか否かについては判断しない。
【００７４】
Ｓ１５では、制御部２５が、表示部２６を緑色の光で発光させる。表示部２６が緑色で点灯する。緑色で点灯した表示部２６を視たユーザーは、ガスコンロ２０とセンサ４０の接続Ｃ１が正常に確立されていることを認識できる。
【００７５】
一方、Ｓ１６では、制御部２５が、表示部２６を青色の光で発光させる。表示部２６が青色で点灯している状態を維持する。青色で点灯した表示部２６を視たユーザーは、ガスコンロ２０とセンサ４０の接続Ｃ１が確立されていないことを認識できる。
【００７６】
（第５実施例）
上記の実施例では、主にガスコンロ２０が実行する処理について説明したが、第５実施例では、主にレンジフード３０が実行する処理について説明する。以下に説明するレンジフード３０における処理は、上述したガスコンロ２０における処理と組み合わせて実行される。
【００７７】
第５実施例の初期状態では、図１に示すガスコンロ２０とセンサ４０の電源が入っているとする。一方、レンジフード３０の電源が切られているとする。すなわち、レンジフード３０がＯＦＦ状態であるとする。レンジフード３０がＯＦＦ状態であるときは、レンジフード３０の制御部３５は、表示部３６を発光させていない。図９のフローチャートに示すように、第５実施例のＳ１０１では、表示部３６が消灯している。続くＳ１０２では、制御部３５は、レンジフード３０の電源が入れられたか否かを監視している。レンジフード３０の電源が入れられずにレンジフード３０がＯＦＦ状態である場合は、制御部３５はＳ１０２でＮｏと判断してＳ１０１に戻る。制御部３５は、表示部３６が消灯した状態を維持する。
【００７８】
続いて、ユーザーが、レンジフード３０のスイッチ部３４を押してレンジフード３０の電源を入れたとする。そうすると、レンジフード３０がＯＮ状態になる。レンジフード３０の電源が入れられてレンジフード３０がＯＮ状態になると、制御部３５はＳ１０２でＹｅｓと判断してＳ１０３に進む。
【００７９】
Ｓ１０３では、レンジフード３０の制御部３５が、センサ４０とレンジフード３０の接続Ｃ３が確立されているか否かを判断する。センサ４０とレンジフード３０の間で接続許可信号と接続確立信号が正常に送受信されている場合は、センサ４０とレンジフード３０の接続Ｃ３が正常に確立されている。そうでない場合は、センサ４０とレンジフード３０の接続Ｃ３が確立されていない。接続許可信号は、センサ４０とレンジフード３０の接続Ｃ３の確立を許可するための信号である。接続確立信号は、センサ４０とレンジフード３０の接続Ｃ３を確立するための信号である。両者の接続が確立されている場合は、制御部３５はＳ１０３でＹｅｓと判断してＳ１０４に進む。一方、接続が確立されていない場合は、制御部３５はＳ１０３でＮｏと判断して、Ｓ１０４からＳ１０８をスキップしてＳ１０９に進む。制御部３５は、Ｓ１０３でＮｏと判断した場合は、表示部３６が消灯した状態を維持する。
【００８０】
Ｓ１０３でＹｅｓと判断した後のＳ１０４では、制御部３５が、表示部３６を緑色の光で発光させる。表示部３６を視たユーザーは、表示部３６が緑色で点灯したことによって、センサ４０とレンジフード３０の接続Ｃ３が正常に確立されていることを認識できる。また、制御部３５は、表示部３６を比較的暗く発光させる。表示部３６が緑色で暗く点灯する。
【００８１】
続くＳ１０５では、制御部３５は、レンジフード３０の換気運転が開始されたか否かを監視している。レンジフード３０の動作が停止しており、換気運転が開始されていない場合は、制御部３５はＳ１０５でＮｏと判断して待機する。一方、レンジフード３０の換気運転が開始された場合は、制御部３５はＳ１０５でＹｅｓと判断してＳ１０６に進む。例えば、ユーザーが、レンジフード３０の調節部３７を操作して換気風量を「中」に設定したとする。そうすると、レンジフード３０の換気運転が開始され、レンジフード３０が風量「中」で動作して室内９０の空気を換気する。
【００８２】
続くＳ１０６では、制御部３５は、表示部３６が緑色で点灯した状態を維持する。また、制御部３５は、表示部３６を比較的明るく発光させる。そうすると、表示部３６が緑色で明るく点灯する。表示部３６を視たユーザーは、表示部３６が明るく点灯したことによって、レンジフード３０で換気運転が行われていることを認識できる。また、そのユーザーは、表示部３６が緑色で点灯していることによって、センサ４０とレンジフード３０の接続Ｃ３が正常に確立されていることを認識できる。
【００８３】
続くＳ１０７では、制御部３５は、レンジフード３０の換気運転が終了したか否かを監視している。レンジフード３０が動作しており、換気運転が終了していない場合は、制御部３５はＳ１０７でＮｏと判断して待機する。一方、レンジフード３０の換気運転が終了した場合は、制御部３５はＳ１０７でＹｅｓと判断してＳ１０８に進む。例えば、ユーザーが、レンジフード３０の調節部３７を操作して換気風量を「０（停止）」に設定したとする。そうすると、レンジフード３０が停止して換気運転が終了する。
【００８４】
続くＳ１０８では、制御部３５は、表示部３６が緑色で点灯した状態を維持する。また、制御部３５は、表示部３６を比較的暗く発光させる。そうすると、表示部３６が緑色で暗く点灯する。表示部３６を視たユーザーは、表示部３６が暗く点灯したことによって、レンジフード３０で換気運転が行われていないことを認識できる。また、そのユーザーは、表示部３６が緑色で点灯していることによって、センサ４０とレンジフード３０の接続Ｃ３が正常に確立されていることを認識できる。
【００８５】
続くＳ１０９では、制御部３５は、レンジフード３０の電源が切られたか否かを監視している。レンジフード３０の電源が切られずにレンジフード３０がＯＮ状態である場合は、制御部３５はＳ１０９でＮｏと判断してＳ１０３に戻る。一方、レンジフード３０の電源が切られてレンジフード３０がＯＦＦ状態になると、制御部３５はＳ１０９でＹｅｓと判断してＳ１１０に進む。Ｓ１１０では、制御部３５は、表示部３６を発光させない。表示部３６が消灯する。
【００８６】
以上、第５実施例について説明した。以上の説明から明らかなように、レンジフード３０（室内機器の一例、換気機器の一例）は、表示部３６（第２表示部の一例）と制御部３５（第２制御部の一例）を備えている。表示部３６は、センサ４０とレンジフード３０の接続状態を表示可能である。制御部３５は、センサ４０とレンジフード３０の接続Ｃ３が確立されている場合は、表示部３６を緑色の光で発光させる。一方、制御部３５は、センサ４０とレンジフード３０の接続Ｃ３が確立されていない場合は、表示部３６を発光させない。すなわち、制御部３５は、空気質検知器（センサ４０）と換気機器（レンジフード３０）の接続Ｃ３が確立されている場合と、その接続Ｃ３が確立されていない場合とで表示部３６の表示を異なる表示態様としている。このような構成によれば、レンジフード３０の表示部３６を視たユーザーが、センサ４０とレンジフード３０の接続Ｃ３が正常に確立されているか否かを一目で認識することができる。
【００８７】
また、上記の構成では、レンジフード３０の制御部３５が、センサ４０とレンジフード３０の接続Ｃ３が確立されている場合は、表示部３６を緑色の光で発光させている。また、図８に示すように、第４実施例では、ガスコンロ２０の制御部２５が、センサ４０とガスコンロ２０の接続Ｃ１が確立されている場合は、表示部２６を緑色の光で発光させている（Ｓ１４、Ｓ１５参照）。これらの組み合わせによって、レンジフード３０の表示部３６とガスコンロ２０の表示部２６が共に緑色で点灯する。つまり、レンジフード３０の制御部３５は、空気質検知器（センサ４０）と換気機器（レンジフード３０）の接続Ｃ３が確立されている場合の表示部３６の表示を、空気質検知器（センサ４０）と調理器（ガスコンロ２０）の接続Ｃ１が確立されている場合の表示部２６の表示と対応する表示態様にしている。
【００８８】
このような構成によれば、レンジフード３０の表示部３６を視たユーザーが、センサ４０とレンジフード３０の接続Ｃ３が正常に確立されているか否かを一目で認識することができる。また、ガスコンロ２０の表示部２６を視たユーザーが、センサ４０とガスコンロ２０の接続Ｃ１が確立されているか否かを一目で認識することができる。また、レンジフード３０の表示部３６とガスコンロ２０の表示部２６が対応する表示態様になるので、上記の２つの接続Ｃ３とＣ１が共に確立されていることをユーザーが容易に認識することができる。
【００８９】
（第６実施例）
上記の第５実施例では、センサ４０とレンジフード３０の接続Ｃ３が確立されている場合に、制御部３５が、表示部３６を緑色の光で発光させる構成であったが、この構成に限定されるものではない。第６実施例では、ガスコンロ２０とレンジフード３０の接続Ｃ２が確立されている場合に、制御部３５が、表示部３６を緑色の光で発光させてもよい。
【００９０】
この場合は、上記のＳ１０３では、レンジフード３０の制御部３５が、ガスコンロ２０とレンジフード３０の接続Ｃ２が確立されているか否かを判断する。ガスコンロ２０とレンジフード３０の間で接続許可信号と接続確立信号が正常に送受信されている場合は、ガスコンロ２０とレンジフード３０の接続Ｃ２が正常に確立されている。そうでない場合は、ガスコンロ２０とレンジフード３０の接続Ｃ２が確立されていない。接続許可信号は、ガスコンロ２０とレンジフード３０の接続Ｃ２の確立を許可するための信号である。接続確立信号は、ガスコンロ２０とレンジフード３０の接続Ｃ２を確立するための信号である。両者の接続が確立されている場合は、制御部３５はＳ１０３でＹｅｓと判断してＳ１０４に進む。一方、接続が確立されていない場合は、制御部３５はＳ１０３でＮｏと判断して、Ｓ１０４からＳ１０８をスキップしてＳ１０９に進む。制御部３５は、Ｓ１０３でＮｏと判断した場合は、表示部３６が消灯した状態を維持する。
【００９１】
Ｓ１０４では、制御部３５が、表示部３６を緑色の光で発光させる。また、制御部３５は、表示部３６を比較的暗く発光させる。表示部３６が緑色で暗く点灯する。表示部３６を視たユーザーは、表示部３６が緑色で点灯したことによって、ガスコンロ２０とレンジフード３０の接続Ｃ２が正常に確立されていることを認識できる。
【００９２】
このような構成によれば、上記の第５実施例と同様に、レンジフード３０の表示部３６を視たユーザーが、ガスコンロ２０とレンジフード３０の接続Ｃ２が正常に確立されているか否かを一目で認識することができる。
【００９３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９４】
１    ：調理器システム
９    ：室
２０  ：ガスコンロ
２１  ：バーナー
２２  ：スイッチ部
２３  ：調節部
２５  ：制御部
２６  ：表示部
２７  ：スイッチ部
３０  ：レンジフード
３１  ：ファン
３２  ：カバー
３４  ：スイッチ部
３５  ：制御部
３６  ：表示部
３７  ：調節部
４０  ：センサ
７０  ：警報器
８０  ：報知手段
９０  ：室内
９１  ：キッチン領域
９２  ：ダイニング領域
【図１】
2017190913.tif 000003
【図２】
2017190913.tif 000004
【図３】
2017190913.tif 000005
【図４】
2017190913.tif 000006
【図５】
2017190913.tif 000007
【図６】
2017190913.tif 000008
【図７】
2017190913.tif 000009
【図８】
2017190913.tif 000010
【図９】
2017190913.tif 000011